(57)【特許請求の範囲】
【請求項１】
シート状をした基材の下面に、複数の繊維からなるパイルで形成された清掃用の払拭部を有し、該払拭部が、基材の下面領域内に位置し被払拭面に付着した汚れを除去する内側払拭部分と、該内側払拭部分の回りを取り囲んで位置し被払拭面上の塵埃やその他のごみを除去する外側払拭部分とからなっていて、上記内側払拭部分が、輪奈状のループパイルによって形成され、外側払拭部分が、カットされた先端部を有するカットパイルによって形成されていることを特徴とする清掃用払拭体。
【請求項２】
上記カットパイルの、基材に固定された基端部からカットされた先端部までの長さが、ループパイルの、基材に固定された基端部からループ先端部までの長さに比べ、同等以上であることを特徴とする請求項１に記載の払拭体。
【請求項３】
上記ループパイル及びカットパイルのうち少なくともカットパイルが、複数の長繊維を緩く撚るか又は密に引き揃えて形成した繊維束を複数束まとめることにより形成されていて、清掃時に上記長繊維を互いに分離した状態に解繊することによってパイル径を拡大可能であると共に、解繊された長繊維が収束癖で紐状の初期状態に復元することなくパイル径の拡大状態を維持可能なるように構成されていることを特徴とする請求項１又は２に記載の払拭体。
【請求項４】
上記長繊維が水中への浸漬及び揺動によって解繊可能であることを特徴とする請求項３に記載の払拭体。
【請求項５】
上記パイルを構成する複数の繊維のうち少なくとも一部が、繊維径が１０μｍ以下の極細繊維であることを特徴とする請求項１から４の何れかに記載の払拭体。
【請求項６】
柄と払拭体用取付ヘッドとからなるモップ本体の該取付ヘッドに、請求項１から５の何れかに記載の払拭体を取り付けてなることを特徴とするモップ。
【発明の詳細な説明】
【技術分野】
【０００１】
本発明は、床などの清掃に使用する清掃用払拭体、及び該払拭体を用いたモップに関するものである。
【背景技術】
【０００２】
建物の床などを清掃する清掃具（モップ）として、従来より各種形態のものが知られている。一般的なモップは、柄の先端に払拭体用取付ヘッドを取り付けたモップ本体と、塵や埃等の汚れを拭き取るための払拭体とからなっていて、この払拭体が上記モップ本体の取付ヘッドに着脱自在に装着される。
【０００３】
上記払拭体として、例えば特許文献１には、モップ本体に取り付けるためのシート状をした基布の下面に、輪奈状をしたループパイルと、カットされた先端を有するカットパイルとの、二種類のパイルを取り付けて形成した乾拭き用の清掃布が開示されている。
この清掃布は、床面上にある塵埃やその他の各種ごみを拭き取ることを目的とするもので、上記カットパイルを基布の下面のほぼ全体に配設し、ループパイルを基布の外周に配設している。さらに詳しくは、該ループパイルを基布から外側に延出するように配設し、それによって清掃時に、柄からの押圧力が主として柔軟なカットパイルのみに作用し、硬質のループパイルには作用しにくいように構成されている。従って、床面上にある塵埃やその他のごみを拭き取るものとしては適しているが、床面に付着した汚れを落とすものとしては不向きである。それは、柔軟なカットパイルはそれより硬質のループパイルに比べて汚れ落としには不向きであることと、柄からの押圧力がこのカットパイルの柔軟性によって吸収され易いためである。
【０００４】
しかし、清掃用払拭体を、性状の異なる上記ループパイルとカットパイルとをうまく組み合わせ、床面上にある塵埃の除去と床面に付着した汚れの除去とを同時に行うことができるように構成することができれば、清掃効率が向上する。
【特許文献１】特開２００３−１１１７０８号公報
【発明の開示】
【発明が解決しようとする課題】
【０００５】
そこで本発明の目的は、ループパイルとカットパイルとの二種類のパイルを使用し、床面などの被払拭面上にある塵埃やその他のごみの除去と被払拭面に付着した汚れの除去とを同時にかつ効果的に行うことができる、機能的構成を備えた清掃用払拭体、及び該払拭体を用いたモップを提供することにある。
【課題を解決するための手段】
【０００６】
上記目的を達成するため、本発明によれば、シート状をした基材の下面に、複数の繊維からなるパイルで形成された清掃用の払拭部を有し、該払拭部が、基材の下面領域内に位置し被払拭面に付着した汚れを除去する内側払拭部分と、該内側払拭部分の回りを取り囲んで位置し被払拭面上の塵埃やその他のごみを除去する外側払拭部分とからなっていて、上記内側払拭部分が、輪奈状のループパイルによって形成され、外側払拭部分が、カットされた先端部を有するカットパイルによって形成されていることを特徴とする清掃用払拭体が提供される。
【０００７】
本発明においては、上記カットパイルの、基材に固定された基端部からカットされた先端部までの長さが、ループパイルの、基材に固定された基端部からループ先端部までの長さに比べ、同等以上であることが望ましい。
【０００８】
本発明において好ましくは、上記ループパイル及びカットパイルのうち少なくともカットパイルが、複数の長繊維を緩く撚るか又は密に引き揃えて形成した繊維束を複数束まとめることにより形成されていて、清掃時に上記長繊維を互いに分離した状態に解繊することによってパイル径を拡大可能であると共に、解繊された長繊維が収束癖で紐状の初期状態に復元することなくパイル径の拡大状態を維持可能なるように構成されている。
上記長繊維は、水中への浸漬及び揺動によって解繊可能とすることができる。
【０００９】
また、本発明においては、上記パイルを構成する複数の繊維のうち少なくとも一部が、繊維径が１０μｍ以下の極細繊維であることが望ましい。
【００１０】
また、本発明によれば、柄と払拭体用取付ヘッドとからなるモップ本体の該取付ヘッドに、請求項１から４の何れかに記載の払拭体を取り付けてなることを特徴とするモップが提供される。
【発明の効果】
【００１１】
本発明の清掃用払拭体及びそれを用いたモップによれば、基材の下面の払拭部のうち、内側払拭部分がループパイルで形成され、外側払拭部分がカットパイルで形成されているため、硬めでボリュームのあるループパイルを床面などの被払拭面に強く押し付けることによって該ループパイルで汚れ落とし、柔軟なカットパイルは被払拭面に軽く接触させることによって塵埃やその他のごみを除去することができ、この結果、性状の異なる上記二種類のパイルを巧みに使い分けてそれぞれの性状に合った機能を発揮させることにより、汚れの除去と塵埃やその他のごみの除去とを同時にかつ確実に行うことができ、清掃効率に勝れる。
【発明を実施するための最良の形態】
【００１２】
図１は本発明に係る清掃用払拭体を用いて構成されたモップの一例を示すもので、このモップは、塵埃を拭き取るための上記払拭体１と、この払拭体１を交換可能に取り付けるためのモップ本体２とからなっている。
【００１３】
上記モップ本体２は、合成樹脂製パイプ又は金属製パイプなどの棒状部材からなる柄４と、上記払拭体１を装着するための平面視で矩形プレート状をした合成樹脂製の払拭体用取付ヘッド５とからなっており、該取付ヘッド５の上面中央位置に、上記柄４が、前後及び左右方向に傾動自在に連結されている。
【００１４】
上記取付ヘッド５の下面には、そのほぼ全面に、面ファスナーを構成する鈎形突子と輪奈形突子のうちの一方である鈎形突子６が設けられ、これに対して上記払拭体１の上面には、他方の輪奈形突子７が形成され、この輪奈形突子７を上記鈎形突子６に係止させることにより、該払拭体１が上記取付ヘッド５に着脱自在に取り付けられている。
【００１５】
上記払拭体１は、図２及び図３から分かるように、不織布や織布あるいは合成樹脂シート等の弾性と柔軟性とを兼ね備えた素材からなる平面視矩形のプレート状をなす基材１０の下面に、複数の繊維を束ねて紐状に形成した多数のパイル１３，１４を、止着線１５，１６に沿って縫着や溶着等の適宜方法によって固定することにより、複数のパイルの集まりからなる清掃用の払拭部１１を形成したものである。この払拭部１１は、基材１０の下面領域内に位置する内側払拭部分１１ａと、該内側払拭部分１１ａの回りを取り囲む外側払拭部分１１ｂとからなっていて、上記内側払拭部分１１ａが輪奈状のループパイル１３によって形成され、外側払拭部分１１ｂが、カットされた先端を有するカットパイル１４によって形成されている。
【００１６】
上記ループパイル１３及びカットパイル１４は、基本的には複数の繊維を適宜撚り合わせるかあるいは並列状に引き揃えることによって紐状に形成されていれば良いが、好ましくは、少なくともカットパイル１４が、図４に示すように、複数の長繊維１７ａを緩く撚るか又は密に引き揃えることにより形成される繊維束１７を使用し、この繊維束１７を複数束まとめることによって紐状に形成されていることである。図示した払拭体１では、ループパイル１３及びカットパイル１４が何れも上記繊維束１７により形成されていて、ループパイル１３の場合は、図５に示すように、複数の繊維束１７を互いに撚り合わせることにより形成され、カットパイル１４の場合は、図６に示すように、複数の繊維束１７を互いに撚り合わせることなく、並行する状態に引き揃えることによって紐状に形成されている。
【００１７】
上記内側払拭部分１１ａを構成するループパイル１３の上記基材１０に対する取り付けは、図５のように形成された長い紐状素材を、基材１０の長手方向に延びる上記止着線１５を跨ぐようにジグザグ状に折り曲げ、その折曲された先端部１３ａと先端部１３ａとの間の部分を上記止着線１５の位置で基材１０に縫着することにより行われている。図示の例では、このようなループパイル１３の列が３列並べて設けられている。これらのループパイル１３は、ループが閉じた状態に折り畳んで基材１０の下面に沿って引き延ばしたとき、全てのループパイル１３が完全に上記基材１０の下面領域内に位置して該基材１０から外方にはみ出さないような長さ及び位置に配設されている。従ってこの内側払拭部分１１ａの回りには、該内側払拭部分１１ａを取り囲むようにカットパイル用取付部１０ａが形成されている。
【００１８】
また、上記外側払拭部分１１ｂを構成するカットパイル１４は、図６に示すように構成されて一定長さにカットされた紐状短片を、中間部で二つに折曲し、同様に折曲された複数の短片を、カットされた先端部１４ａを交互に逆方向に向けると共に、折曲部である基端部１４ｂを上記止着線１６上に位置させることにより、上記取付部１０ａに上記内側払拭部分１１ａの回りを取り囲むように配設し、それらの基端部１４ｂをフリンジ縫製で上記取付部１０ａに固定している。これらのカットパイル１４のうち、先端部１４ａが基材１０の外周側を向くカットパイル１４は、該基材１０の外側に部分的に延出している。また、先端部１４ａが基材１０の内側を向くカットパイル１４は、上記内側払拭部分１１ａを構成する一部のループパイル１３と部分的に重複している。
【００１９】
上記二つに折曲した紐状短片は、基材１０に取り付ける前に、隣接するもの同士を縫製や接着等の適宜手段で順次結合することにより予め一体化しておき、一体化された短片の列を基材１０に縫着することもできる。その際、折曲部内に共通の細紐を通すようにすれば、それらの一体化を容易に行うことができる。
【００２０】
上記カットパイル１４は、基材１０に固定されている基端部１４ｂから先端部１４ａまでの長さが、ループパイル１３の基材１０に固定されている基端部１３ｂからループ先端部１３ｂまでの長さに比べ、同じかそれ以上であることが望ましい。これにより、カットパイル１４からなる外側払拭部分１１ｂをループパイル１３からなる内側払拭部分１１ａよりやや厚めに形成してボリュームを高めることができる。この結果、カットパイル１４がループパイル１３に比べて柔軟で圧縮され易い特性を有していても、清掃時に外側払拭部分１１ｂが床面に押し付けられる力（押圧力）を高めてカットパイル１４による必要な清掃機能を十分に発揮させることができる。なお、このように外側払拭部分１１ｂの清掃時の押圧力を高めるといっても、それは内側払拭部分１１ａの押圧力より小さい範囲内のことである。
【００２１】
上記カットパイル１４は、上述したように、複数の長繊維１７ａを緩く撚るか又は密に引き揃えて形成した繊維束１７により形成されているため、上記長繊維１７ａを互いに分離した状態（繊維間の間隔が広がった状態）に解繊することによってパイル径を拡大可能であると共に、解繊された長繊維１７ａが収束癖で紐状の初期状態に復元することなくパイル径の拡大状態（束径拡大状態）を維持可能である。この解繊は、払拭体１を最初に清掃に使用する前に行われ、そのあと清掃を行う。従って、上記カットパイル１４は、解繊する前には略紐状の外観を呈している。
【００２２】
上記解繊は、例えば払拭体１を洗濯することにより行うことができる。この洗濯による方法は、換言すれば、繊維束１７を水中に浸漬させて水に対して相対的に揺動させるというものである。この方法によれば、長繊維１７ａが水中に浮遊することによって相互の間隔が広がり、分離し易い状態となって揺れ動かされるため、殆どの長繊維１７ａは、水の力により、基材１０に縫着された基端部１４ｂ又は該基端部１４ｂ寄りの部分を除いたその他の繊維部分が相互に分離し、解繊された状態になる。この場合、全ての長繊維１７ａが完全に解繊される必要はなく、大部分の長繊維１７ａが解繊されて繊維束１７の束径が拡大されれば良い。
【００２３】
このように、各繊維束１７の長繊維１７ａが解繊された結果、カットパイル１４のパイル径が拡大すると共に、上記繊維束１７毎の区別は殆どなくなり、全ての繊維束１７の長繊維１７ａがほぼ自由な位置関係で互いに分離した状態になる。この結果、外側払拭部１１全体の見かけ上のボリュームが増すと共に、風合いも向上し、塵埃の捕捉効果が高められて清掃時の使用感も向上することになる。
【００２４】
このことは、逆の見方をすれば、上記カットパイル１４を解繊する前の段階では、各繊維束１７の長繊維１７ａが紐状に収束した状態を保っていて、全体のパイル径は小さいため、外側払拭部１１の嵩張りは少なく、コンパクトであるということを意味しており、このことから、製品としての収納や輸送時等の取り扱い性に勝れることが理解される。
【００２５】
かくして一旦解繊された長繊維１７ａは、撚り癖が殆ど付いていないため、その撚り癖で紐としての初期状態に復元することはなく、そのまま分離状態を維持する。従って、払拭体１としてのボリューム及び風合いが低下することなく、そのまま維持される。
なお、上記カットパイル１４を解繊する他の方法として、ブラシ等で機械的に梳く方法もある。この方法においても、上記長繊維１７ａは緩く撚られているだけであるため、ブラシが引っ掛かって解繊不能になるといったようなことはない。
【００２６】
また、ループパイル１３もカットパイル１４と同じ構成の繊維束１７を使用して形成されているが、複数の繊維束１７は互いに撚り合わされているため、上記カットパイル１４と一緒に長繊維１７ａが若干解繊されるとしても、その解繊の度合いは少ない。
【００２７】
上記構成を有する払拭体１は、水などの洗浄液に浸してループパイル１３及びカットパイル１４に該洗浄液を適度に含浸させ、その状態で床面等の清掃を行う。このとき、基材１０の下面の払拭部１１のうち、内側払拭部分１１ａがループパイル１３で形成され、外側払拭部分１１ｂがカットパイル１４で形成されているため、硬めで圧縮性の小さいループパイル１３が柄４からの操作力によって床面に強く押し付けられ、その回りの柔軟で圧縮され易いカットパイル１４はそれより弱い力で床面に押し付けられることになる。そして、押圧力の強い上記ループパイル１３によって床面に付着した汚れが除去され、押圧力の弱いカットパイル１４によって床面上の塵埃やその他のごみが除去される。この結果、性状の異なる二種類のパイルを巧みに使い分けてそれぞれの性状に合った機能を発揮させることにより、汚れの除去と塵埃の除去とを同時にかつ確実に行うことができ、清掃効率に勝れる。
特に、上記カットパイル１４を解繊式とし、それを解繊して使用することにより、紐状を呈したままのループパイル１３との性状の違いがより顕著になるため、二種類のパイルの特性による清掃効果も一層顕著なものとなる。
【００２８】
上記ループパイル１３及びカットパイル１４を形成する繊維は、絹やレーヨン、キュプラ等の天然繊維であっても、ポリエステルやアクリル等の合成繊維であっても、それらの混合体であっても良い。また、その繊維径についても特に制限はないが、塵埃の捕捉効果や汚れの除去効果に勝れた払拭体１にするためには、繊維径が１０μｍ以下の極細繊維を使用することが望ましく、全繊維中の少なくとも一部にこの極細繊維が含まれていることが望ましい。また、上記繊維は、直線性の繊維であることが望ましいが、波付けされた捲縮性繊維であっても良い。
なお、上記ループパイル１３は、複数の繊維束１７を撚り合わせることによって形成されているが、カットパイル１４と同様に、複数の繊維束１７を引き揃えることによって形成することもできる。この場合には、長繊維１７ａの解繊の度合いは撚り合わせた場合よりは大きくなる。
【００２９】
また、上記実施形態では、上記払拭体１をモップ本体２の取付ヘッド５に取り付けるのに、面ファスナーを用いているが、このような面ファスナーに代えて、上記払拭体１における基材１０の上面の長手方向の両端部に一対のポケットを形成し、このポケットに取付ヘッド５の両端部を挿入するようにしても良い。
また、本発明の技術は、洗浄液を含浸させないで使用する乾式の払拭体にも適用することが可能である。
【図面の簡単な説明】
【００３０】
【図１】本発明の払拭体を用いたモップの実施形態を示す斜視図である。
【図２】上記払拭体の下面図である。
【図３】図２の断面図である。
【図４】パイルを形成する繊維束の構成を示す部分側面図である。
【図５】図４の繊維束で形成されたループパイル用紐材の一部を示す側面図である。
【図６】図４の繊維束で形成されたカットパイル用紐片の一部を示す側面図である。
【符号の説明】
【００３１】
１    払拭体
２    モップ本体
４    柄
５    取付ヘッド
１０    基材
１１    払拭部
１１ａ    内側払拭部分
１１ｂ    外側払拭部分
１３    ループパイル
１４    カットパイル
１３ａ，１４ａ    先端部
１３ｂ，１４ｂ    基端部
１７    繊維束
１７ａ    長繊維
【図１】
0004757048.tif 000002
【図２】
0004757048.tif 000003
【図３】
0004757048.tif 000004
【図４】
0004757048.tif 000005
【図５】
0004757048.tif 000006
【図６】
0004757048.tif 000007